(57)【要約】【課題】インターネットアクセスが可能な端末へ簡便な操作に基づいてインターネットアドレスを取得させることを可能とする。【解決手段】アドレス通知装置２は、電話網３を介しての着信に対し着信応答部２１が応答する。この後に電話網３を介して送られてくる指定メニューコードをメニューコード受信部２２が受信する。検索部２４は、指定メニューコードに対応するインターネットアドレスをメニューコード変換データベース２５より検索する。該当するインターネットアドレスが有るならば、そのインターネットアドレスを含んだ通知情報を、通知情報送出部２７が電話網３を介して電話端末１へ送る。【選択図】    図１
2004221941.tif 000002
【特許請求の範囲】
【請求項１】
電話網を介する着信に応答し、
前記応答後に前記電話網を介して発信側端末から送信される指定コードを受信し、
受信した前記指定コードに対応付けられたインターネットアドレスを取得し、
取得した前記インターネットアドレスを示した通知情報を前記電話網を介して所定の端末へ送信することを特徴とするインターネットアドレス通知方法。
【請求項２】
電話網を介する着信に応答する応答手段と、
この応答手段が前記着信に応答した後に前記電話網を介して発信側端末から送信される指定コードを受信する指定コード受信手段と、
この指定コード受信手段により受信された前記指定コードに対応付けられたインターネットアドレスを取得するアドレス取得手段と、
このアドレス取得手段により取得された前記インターネットアドレスを示した通知情報を前記電話網を介して所定の端末へ送信する送信手段とを具備したことを特徴とするインターネットアドレス通知装置。
【請求項３】
前記送信手段は、前記通知情報を前記発信側端末へ送信することを特徴とする請求項２に記載のインターネットアドレス通知装置。
【請求項４】
前記送信手段は、
前記発信側端末から送信される電話番号情報を受信する電話番号情報受信手段と、
この電話番号情報受信手段により受信された前記電話番号情報に示される電話番号を用いて前記電話網を介して発信する発信手段と、
この発信手段による発信に対して応答がなされたのちに前記通知情報を送出する送出手段とを具備することを特徴とする請求項２に記載のインターネットアドレス通知装置。
【請求項５】
前記指定コード受信手段により受信された前記指定コードに対応付けられた名称情報を取得する名称取得手段をさらに備え、
かつ前記送信手段は、前記名称取得手段により取得された前記名称情報を前記インターネットアドレスとともに示した通知情報を前記所定の端末へ送信することを特徴とする請求項２に記載のインターネットアドレス通知装置。
【請求項６】
前記指定コード受信手段により前記指定コードが受信できなかった場合にのみ着信鳴動を行う鳴動手段をさらに備えることを特徴とする請求項２に記載のインターネットアドレス通知装置。
【請求項７】
コンピュータを、
電話網を介する着信に応答する応答手段と、
この応答手段が前記着信に応答した後に前記電話網を介して発信側から送信される指定コードを受信する指定コード受信手段と、
この指定コード受信手段により受信された前記指定コードに対応付けられたインターネットアドレスを取得するアドレス取得手段と、
このアドレス取得手段により取得された前記インターネットアドレスを示した通知情報を前記電話網を介して所定の端末へ送信する送信手段として機能させるためのプログラム。
【請求項８】
コンピュータを、
電話網を介する着信に応答する応答手段と、
この応答手段が前記着信に応答した後に前記電話網を介して発信側から送信される指定コードを受信する指定コード受信手段と、
この指定コード受信手段により受信された前記指定コードに対応付けられたインターネットアドレスを取得するアドレス取得手段と、
このアドレス取得手段により取得された前記インターネットアドレスを示した通知情報を前記電話網を介して所定の端末へ送信する送信手段として機能させるためのプログラムを記録したコンピュータ読み取り可能な記録媒体。
【請求項９】
電話網を介して接続されたインターネットアドレス通知装置から送信される通知情報を受信し、
受信した前記通知情報に示されるインターネットアドレスを用いてインターネットにアクセスすることを特徴とするインターネットアクセス方法。
【請求項１０】
電話網を介して接続されたインターネットアドレス通知装置から送信される通知情報を受信する受信手段と、
この受信手段により受信された前記通知情報に示されるインターネットアドレスを用いてインターネットにアクセスするアクセス手段とを具備したことを特徴とするインターネットアクセス装置。
【請求項１１】
前記インターネットアドレス通知装置に発信するための電話番号を入力する電話番号入力手段と、
この電話番号入力手段により入力された電話番号を用いて電話網を介して前記インターネットアドレス通知装置に発信する発信手段と、
指定コードを入力する指定コード入力手段と、
この指定コード入力手段により入力された指定コードを前記インターネットアドレス通知装置へ送信する送信手段とをさらに備え、
かつ前記受信手段は、前記送信手段により送信された前記指定コードに応じて前記インターネットアドレス通知装置から送信される通知情報を受信することを特徴とする請求項１０に記載のインターネットアクセス装置。
【請求項１２】
前記受信手段により受信された前記通知情報に示されるインターネットアドレスまたは名称情報を表示する表示手段をさらに備えたことを特徴とする請求項１０に記載のインターネットアクセス装置。
【請求項１３】
前記表示手段により表示されたインターネットアドレスまたは名称情報に関連するウェブページへのアクセス指示を入力するアクセス指示入力手段をさらに備え、
かつ前記アクセス手段は、前記アクセス指示入力手段により前記アクセス指示が入力されたことに応じてインターネットへアクセスすることを特徴とする請求項１２に記載のインターネットアクセス装置。
【請求項１４】
前記指定コード入力手段は、ウェブページの提供者に関連する電話番号と上記提供者が提供するウェブページに一意に割り当てられたメニューコードとを組み合わせて構成される指定コードを入力することを特徴とする請求項１０に記載のインターネットアクセス装置。
【請求項１５】
コンピュータを、
電話網を介して接続されたインターネットアドレス通知装置から送信される通知情報を受信する受信手段と、
この受信手段により受信された前記通知情報に示されるインターネットアドレスを用いてインターネットにアクセスするアクセス手段として機能させるプログラム。
【請求項１６】
前記コンピュータを、
前記インターネットアドレス通知装置に発信するための電話番号を入力する電話番号入力手段と、
この電話番号入力手段により入力された電話番号を用いて電話網を介して前記インターネットアドレス通知装置に発信する発信手段と、
指定コードを入力する指定コード入力手段と、
この指定コード入力手段により入力された指定コードを前記インターネットアドレス通知装置へ送信する送信手段としてさらに機能させ、
かつ前記受信手段を、前記送信手段により送信された前記指定コードに応じて前記インターネットアドレス通知装置から送信される通知情報を受信するものとして機能させることを特徴とする請求項１５に記載のプログラム。
【請求項１７】
コンピュータを、
電話網を介して接続されたインターネットアドレス通知装置から送信される通知情報を受信する受信手段と、
この受信手段により受信された前記通知情報に示されるインターネットアドレスを用いてインターネットにアクセスするアクセス手段として機能させるプログラムを記録したコンピュータ読み取り可能な記録媒体。
【請求項１８】
記録した前記プログラムは、
前記コンピュータを、
前記インターネットアドレス通知装置に発信するための電話番号を入力する電話番号入力手段と、
この電話番号入力手段により入力された電話番号を用いて電話網を介して前記インターネットアドレス通知装置に発信する発信手段と、
指定コードを入力する指定コード入力手段と、
この指定コード入力手段により入力された指定コードを前記インターネットアドレス通知装置へ送信する送信手段としてさらに機能させ、
かつ前記受信手段を、前記送信手段により送信された前記指定コードに応じて前記インターネットアドレス通知装置から送信される通知情報を受信するものとして機能させるプログラムであることを特徴とする請求項１７に記載の記録媒体。
【発明の詳細な説明】
【０００１】
【発明の属する技術分野】
本発明は、端末へのインターネットアドレスの通知と、端末でインターネットアクセスするための技術に関する。
【０００２】
【従来の技術】
インターネットアクセス機能を備えた電話端末からインターネット上の各種ホームページにアクセスする際、電話端末の使用者が予めアクセス先のインターネットアドレスを知っている場合は、使用者が電話端末のテンキーもしくはキーボード等を利用して、インターネットアドレスに対応する文字列の入力および当該入力文字列をインターネットアドレスへ変換する操作を行う。
【０００３】
使用者がアクセス先のインターネットアドレスを知らない場合、使用者はまず各種インターネット検索エンジンにアクセスした上で、キーワード等を入力し、目的とするインターネットアドレスを検索し、検索結果の中から目的に近いインターネットアドレスを取捨選択し、次ぎにようやくこれにアクセスするという過程を経る。
【０００４】
また、電話番号をキーとしてインターネットホームページアドレスを検索する方法も知られている（特許文献１を参照）。
【０００５】
【特許文献１】
特開２００１−３３１４０１
【発明が解決しようとする課題】
インターネットアドレスの多くはアルファベットを用いたローマ字、あるいは英語綴りで表記されている。携帯電話端末等においては、一般的には２から９までのテンキーの１つ１つのキーに対して３乃至４つのアルファベットが割り当てられており、１つのアルファベット文字を決定するまでに複数回のキー操作が必要となる。このため、携帯電話端末等におけるインターネットアドレスの入力操作は、非常に煩雑なキー操作が必要である。また、英語表記に慣れていないユーザ層にとっては、入力方法に拘わらずに不便である。
【０００６】
インターネット検索エンジンを利用する場合、上述ようなアルファベット入力による英語のキーワードの入力、あるいは一旦ローマ字入力操作を行い、次に当該ローマ字を適切な日本語のキーワードに変換するという操作が必要である。このため、非常に煩雑なキー操作が必要である。さらには、目的とするインターネットアドレスがインターネット検索エンジンにより必ず検出されるとは限らない。
【０００７】
またインターネット検索エンジンでは、同類の複数のページに関するインターネットアドレスが検索されることがある。この場合、検索された複数のインターネットアドレスのうちの１つを選択してアクセスすることになるため、あるホームページを探している利用者が競合する他のホームページのインターネットアドレスを選択してしまう恐れがある。このため、ホームページの提供者からすると、インターネット検索エンジンが利用されることは、必ずしも好ましいことではない。
【０００８】
特許文献１に示される方法によると、キーとしての電話番号を入力するためには、インターネットを介してサーバにアクセスする必要がある。このため、まずサーバにアクセスするためにインターネットアドレスの入力などを行わなければならず、その際には上記の不具合は何ら解消されない。
【０００９】
以上のように、インターネットアクセスには煩雑な入力操作を必要とするという不具合があった。
【００１０】
ところで、企業等のホームページの提供者がユーザあるいは将来的な顧客に対して自社のインターネットアドレスを周知する場合、各種の広告媒体を使用することが多い。その代表例が、新聞、書籍あるいは雑誌などの印刷媒体である。しかし、印刷媒体では物理的あるいは経済的に表示面積が限られてしまうため、詳細なインターネットアドレスの表示は難しい。また、該当するインターネットアドレスの表記が長くなってしまうと、ユーザがダイレクトにアクセスできる反面、入力操作時の不便さ、入力精度の低下に影響をしてしまう。また、テレビやラジオを使用した広告では、限られた時間内にインターネットアドレスをユーザに的確に伝えることは困難である。
【００１１】
このようなことを考慮して、バーコードによるインターネットアドレスの通知および接続方法も存在するが、これを利用するにはバーコードリーダ機能を有する端末が必要となる。しかも、精度よくバーコードの読みとりを行うためには、バーコードリーダとインターネットアドレスを記載したバーコード表示物との距離が制限されてしまうため、ビルや屋外に設置された看板、電光掲示板、電柱広告、あるいは電車の車内広告等にバーコード入力方式を適用することは困難である。さらには、ＣＣＤあるいはＣＭＯＳ等の２次元撮像素子を用いて２次元バーコードを撮影し、これをインターネットアドレスに変換する方法が提案されている。あるいは２次元撮像素子をもちいてテキストベースのインターネットアドレスを直接撮影し、これをＯＣＲ等により電子的に変換する方法も提案されている。しかし、いずれの方法も撮影時の手ぶれ、ピンぼけが懸念される。またテレビモニタ等の電子的に輝点を走査し画面表示を行う映像機器の画像を撮影すると、表示方式の特性上、撮影画像には走査線が写りこんでしまい画像として乱れてしまう場合が多い。
【００１２】
以上のようなことから、インターネットアドレスを効果的かつ経済的に周知できること、およびインターネットアクセスの際にインターネットアドレスを簡便に入力できることが望まれていた。
【００１３】
本発明はこのような事情を考慮してなされたものであり、その目的とするところは、インターネットアクセスが可能な端末へ簡便な操作に基づいてインターネットアドレスを取得させることを可能とすることにある。
【００１４】
【課題を解決するための手段】
以上の目的を達成するために第１の発明は、インターネットアドレス通知装置にて、電話網を介する着信に応答し、前記応答後に前記電話網を介して発信側端末から送信される指定コードを受信し、受信した前記指定コードに対応付けられたインターネットアドレスを取得し、取得した前記インターネットアドレスを示した通知情報を前記電話網を介して所定の端末へ送信することとした。
【００１５】
また第２の発明は、インターネットアクセス装置にて、電話網を介して接続されたインターネットアドレス通知装置から送信される通知情報を受信し、受信した前記通知情報に示されるインターネットアドレスを用いてインターネットにアクセスすることとした。
【００１６】
これらの手段を講じたことにより、第１の発明を利用したインターネットアドレス通知装置と第２の発明を利用したインターネットアクセス装置とを組み合わせて使用することで、インターネットアドレス通知装置からインターネットアクセス装置へは、電話網を介してインターネットアドレス通知装置へ送られる指定コードに応じたインターネットアドレスが通知される。インターネットアクセス装置では、この通知されたインターネットアドレスを用いてインターネットにアクセスできる。従って、インターネットアクセス装置においてインターネットアドレスの入力をユーザが行う必要が無い。
【００１７】
【発明の実施の形態】
以下、図面を参照して本発明の一実施形態につき説明する。
図１は本実施形態に係るシステムの構成を示すブロック図である。
本実施形態のシステムは、電話端末１およびアドレス通知装置２を含む。電話端末１とアドレス通知装置２とは、電話網３を介して通信可能である。
【００１８】
電話端末１は、インターネット４にアクセス可能なものであり、携帯電話端末、固定電話端末およびコンピュータ端末などの様々な形態のいずれであっても良い。
【００１９】
アドレス通知装置２は、他の装置から独立した形態の専用装置として実現されるものであっても良いし、電話端末、ファクシミリ端末、あるいはコンピュータ端末等の他の装置に搭載される形態で実現される者であっても良い。
【００２０】
電話網３としては、アナログ電話網、デジタル電話網、無線電話網もしくはＩＰ（Ｉｎｔｅｒｎｅｔ  Ｐｒｏｔｏｃｏｌ）電話網を含む公衆電話交換回線網が適用できる。
【００２１】
電話端末１は、電話番号入力部１０、発信部１１、メニューコード入力部１２、メニューコード送出部１３、通知情報受信部１４、表示部１５、アクセス指示入力部１６、アクセス部１７およびコンテンツ受信部１８を含む。
【００２２】
電話番号入力部１０は、アドレス通知装置２は発信するためにユーザが指定する電話番号を入力する。発信部１１は、電話番号入力部１０により入力された電話番号を用いて電話網３を介してアドレス通知装置２へ発信する。
【００２３】
メニューコード入力部１２は、ユーザが指定するメニューコード（以下、指定メニューコードと称する）を入力する。メニューコード送出部１３は、メニューコード入力部１２により入力された指定メニューコードを電話網３へ送出する。
【００２４】
通知情報受信部１４は、アドレス通知装置２から送出されて電話網３を介して到来した通知情報を受信する。表示部１５は、通知情報受信部１４により受信された通知情報の内容を表示する。
【００２５】
アクセス指示入力部１６は、ユーザによるアクセス指示を入力する。アクセス部１７は、アクセス指示入力部１６によりアクセス指示が入力されたことに応じて、通知情報受信部１４により受信されている通知情報に含まれるインターネットアドレスを用いて電話網３を介してインターネット４へのアクセスを行う。
【００２６】
コンテンツ受信部１８は、アドレス通知装置２から送出されて電話網３を介して到来したコンテンツを受信する。
【００２７】
アドレス通知装置２は、着信応答部２１、メニューコード受信部２２、着信鳴動部２３、検索部２４、メニューコード変換データベース２５、コンテンツデータベース２６、通知情報送出部２７、コンテンツ送出部２８、電話番号受信部２９および発信部３０を含む。
【００２８】
着信応答部２１は、電話網３を介しての着信に自動応答する。着信応答部２１は、着信に応答した場合にはその旨をメニューコード受信部２２および着信鳴動部２３へ通知する。
【００２９】
メニューコード受信部２２は、着信応答部２１により着信応答がなされた後に電話網３を介して到来する指定メニューコードの受信を試みる。メニューコード受信部２２は、指定メニューコードを受信できたならばその指定メニューコードを検索部２４へ入力する。メニューコード受信部２２は、指定メニューコードが受信できなかったならばその旨を着信鳴動部２３へ通知する。
【００３０】
着信鳴動部２３は、着信応答部２１から着信に応答した旨の通知がなされた上で、メニューコード受信部２２から指定メニューコードが受信できない旨の通知がなされたことに応じて着信鳴動を行う。
【００３１】
検索部２４は、メニューコード受信部２２から入力された指定メニューコードをメニューコード変換データベース２５およびコンテンツデータベース２６より検索する。検索部２４は、上記の検索の結果を通知情報送出部２７およびコンテンツ送出部２８へ通知する。なお、メニューコード変換データベース２５には、メニューコードを見出しとして、インターネットアドレスおよび簡易名称を記述したデータテーブルが記憶されている。コンテンツデータベース２６には、メニューコードに対応付けてコンテンツが記憶されている。
【００３２】
通知情報送出部２７は、指定メニューコードがメニューコード変換データベース２５から検出できたことを示す通知を受けた場合に、指定メニューコードを見出しとするインターネットアドレスおよび簡易名称を含んだ通知情報を生成し、この通知情報を電話網３へ送出する。
【００３３】
コンテンツ送出部２８は、指定メニューコードがコンテンツデータベース２６から検出できたことを示す通知を受けた場合に、指定メニューコードに対応付けられたコンテンツを電話網３へ送出する。
【００３４】
電話番号受信部２９は、電話網３を介して到来する電話番号情報を受信する。発信部３０は、電話番号受信部２９により受信された電話番号情報に示される電話番号を用いての電話網３への発信を行う。
【００３５】
以上のような電話端末１の各部やアドレス通知装置２の各部は、専用のハードウェアで実現できる他、コンピュータにプログラムを実行させることによっても実現できる。そのプログラムは、記録媒体に記録して提供することも、ネットワークを通して提供することも可能である。
【００３６】
次に以上のように構成されたシステムの動作につき図２および図３を参照しながら説明する。なお図２は電話端末１の動作手順を示すフローチャートである。図３はアドレス通知装置２の動作手順を示すフローチャートである。
【００３７】
ホームページの提供者は、自己が提供するホームページに関するインターネットアドレスが登録されたアドレス通知装置２の電話番号と、自己が提供するホームページに対して上記アドレス通知装置２にて一意に割り当てられたメニューコードとを、新聞や雑誌等の各種印刷メディア、テレビやラジオ等の動画メディアあるいは音声メディア、あるいは街頭広告や電柱広告等の屋外広告メディア等により告知する。電話端末１のユーザは、アドレス通知装置２の電話番号およびホームページのメニューコードを知ると、その電話番号とメニューコードとを電話端末１に入力する。そうすると電話端末１では、上記の電話番号が電話番号入力部１０により入力され、またメニューコードがメニューコード入力部１２により入力される（図２中のステップＳＴ１）。
【００３８】
ところで、電話番号は一般に０から９までの数字で構成されている。一方、メニューコードはこれらの数字の他、＊記号、＃記号、＠記号、およびその他の特殊記号、もしくは特別に設ける入力キー等の組み合わせにより構成される。メニューコードの形態は任意であって良いが、ユーザの利便性を考慮すると、一般の携帯電話端末のキーとして広く使用されている、０から９までの数字、そして＊記号と＃記号で構成されていることが望ましい。
【００３９】
ところで、電話番号とメニューコードとは、ユーザに個別に指定させるようにしても良いし、連続して指定させるようにしても良い。また、電話番号およびメニューコードのいずれを先に指定させるかは任意でよい。いずれの場合であっても、電話端末１では電話番号とメニューコードとを区別して入力する。
【００４０】
そしてまず、電話番号入力部１０により入力された電話番号を用いての発信を発信部１１が行う（図２中のステップＳＴ２）。すなわち、電話網３を介してアドレス通知装置２への発信が発信部１１により行われる。こののちにメニューコード送出部１３が、メニューコード入力部１２により入力されたメニューコード、すなわち指定メニューコードを電話網３へと送出する（図２中のステップＳＴ３）。ただし、電話網３にて適切な接続を行えるようにするとともに、アドレス通知装置２で正しく指定メニューコードを受信することを可能とするために、発信してから指定メニューコードを送出するまでにはある程度の間隔をおく。具体的には、発信を行ってから適切なポーズ（ｐａｕｓｅ）時間が経過した後に指定メニューコードの送信を行うことが考えられる。もし、電話網３が連続して送られる電話番号およびメニューコードを分離して処理する機能を備えるならば、発信と指定メニューコードの送出とを連続して行っても良い。
【００４１】
上記の電話端末１からの発信によりアドレス通知装置２にて着信が生じると、これが着信応答部２１により検出される。そして着信が生じたことが着信応答部２１から着信鳴動部２３へ通知される。
【００４２】
そうすると着信鳴動部２３は、無鳴動着信を行う設定になっているか否かを確認する（図３中のステップＳＴ２１）。なお無鳴動着信を行うか否かの設定は、アドレス通知装置２のユーザが任意に行うことを可能としてある。もし、無鳴動着信を行わない設定になっているのならば、着信鳴動部２３は着信鳴動を開始する（図３中のステップＳＴ２２）。しかし、無鳴動着信を行う設定になっているのならば、着信鳴動部２３はステップＳＴ２２をパスする。
【００４３】
この後に着信応答部２１が、着信に対する応答を自動的に行う（図３中のステップＳＴ２３）。この上でメニューコード受信部２２が、電話網３を介して指定メニューコードが到来するか否かを確認する（図３中のステップＳＴ２４）。もし、指定メニューコードが到来しないのであれば、その旨をメニューコード受信部２２が着信鳴動部２３へ通知する。そうすると着信鳴動部２３は、着信鳴動を実行中であるか否かを確認する（図３中のステップＳＴ２５）。着信鳴動を実行していないならば、着信鳴動部２３は着信鳴動を開始する（図３中のステップＳＴ２６）。着信鳴動を既に実行しているのならば、着信鳴動部はステップＳＴ２６をパスする。この上でアドレス通知装置２では、音声電話通話やファクシミリ通信などを行うための通常通話処理を図示しない処理部にて行う（図３中のステップＳＴ２７）。
【００４４】
このように、無鳴動着信を行う設定になっているならば、指定メニューコードが到来しないことが確認されるまでは着信鳴動が行われない。そして、指定メニューコードが到来したことが確認されたことに応じて着信鳴動を開始し、通常通話処理に移行する。このため、アドレス通知装置２のユーザが指定メニューコードを耳で聞くことが防げる。この上で、一台の装置で従来の音声電話通話あるいはファックス通信と、本発明のインターネットアドレス通知サービスとの両方に対応することが可能になる。
【００４５】
さて、指定メニューコードが到来した場合には、この指定メニューコードをメニューコード受信部２２が受信する（図３中のステップＳＴ２８）。そして指定メニューコードをメニューコード受信部２２が検索部２４へ入力する。検索部２４はまず、指定メニューコードをコンテンツデータベース２６から検索することで、指定メニューコードに対応するコンテンツがコンテンツデータベース２６に記憶されているか否かを確認する（図３中のステップＳＴ２９）。該当するコンテンツが無かったならば、検索部２４は指定メニューコードをメニューコード変換データベース２５から検索することで、指定メニューコードに対応するインターネットアドレスが登録されているか否かを確認する（図３中のステップＳＴ３０）。
【００４６】
もし、該当するインターネットアドレスが有ったならば、その旨を検索部２４が通知情報送出部２７へ通知する。この通知に応じて通知情報送出部２７は、指定メニューコードを見出しとするインターネットアドレスおよび簡易名称をメニューコード変換データベース２５から読み出す（図３中のステップＳＴ３１）。一方、該当するインターネットアドレスが無かったならば、その旨を検索部２４が通知情報送出部２７へ通知する。この通知に応じて通知情報送出部２７は、デフォルトページのインターネットアドレスおよび簡易名称をメニューコード変換データベース２５から読み出す（図３中のステップＳＴ３２）。
【００４７】
なお、デフォルトページをどのようなホームページとするかは任意である。例えば、総合ホームページ、問い合わせ先（連絡先）ホームページ、メールアドレス・サイトマップ用ホームページ、あるいは着信側のサイト内の索引・検索ホームページ等をデフォルトページとしておくことにより、電話端末１のユーザがメニューコードの指定をミスした場合等にも、電話端末１のユーザをアドレス通知装置２に登録されたホームページへと誘導することが可能となる。
【００４８】
通知情報送出部２７は、ステップＳＴ３１またはステップＳＴ３２で読み出したインターネットアドレスおよび簡易名称を含んだ通知情報を生成し、この通知情報を電話網３へと送出する（図３中のステップＳＴ３３）。この通知情報は、電話網３を介して電話端末１へと伝送される。これにより、電話端末１から送出された指定メニューコードに応じたインターネットアドレスおよび簡易名称を含んだ通知情報が電話端末１へと返送される。
【００４９】
さて電話端末１では、指定メニューコードを送出した後には、コンテンツデータまたは通知情報が電話網３を介して到来するのを待ち受ける（図２中のステップＳＴ４およびステップＳＴ５）。そこで、前述のようにアドレス通知装置２から送出された通知情報が到来したならば、この通知情報を通知情報受信部１４が受信する（図２中のステップＳＴ６）。そして、通知情報に含まれるインターネットアドレスおよび簡易名称の両方もしくはいずれかを表示部１５が表示する（図２中のステップＳＴ７）。
【００５０】
この上でアクセス指示入力部１６は、ユーザによりアクセス指示がなされるのを待ち受ける（図２中のステップＳＴ８）。ユーザによりアクセス指示がなされたならば、このアクセス指示をアクセス指示入力部１６が入力し、その旨がアクセス指示入力部１６からアクセス部１７へ通知される。この通知に応じてアクセス部１７が、通知情報受信部１４からインターネットアドレスを取得し、このインターネットアドレスを用いてインターネット４へアクセスする。ただし、電話端末１がアドレス通知装置２と電話網３を介して接続されたままである場合は、一旦回線切断した上で、改めて電話網３を介してインターネット４へアクセスする。
【００５１】
このように電話端末１では、アドレス通知装置２から通知されたインターネットアドレスを用いてインターネット４へのアクセスが行われる。従って、電話端末１のユーザはインターネットアドレスの入力を行う必要がない。なお、アドレス通知装置２に発呼するための電話番号とメニューコードとを電話端末１のユーザが指定する必要があるが、電話番号の指定は通常の電話発信の際と同様な作業であり非常に簡易である。企業等が持つ多くの電話番号については、各種広告を通して、だれもが覚えやすいキャッチフレーズ等に置き換えら、これがすでに広く普及している。すなわち、ユーザにとっては、長いインターネットアドレスよりも、これらのキャッチフレーズ化した電話番号の方がより親しみが湧きやすい。
【００５２】
メニューコードは、アドレス通知装置２に登録されたインターネットアドレスに限って一意に識別できればよいから、インターネットアドレスに比べて大幅に短く、かつ単純にすることが可能である。このため、その指定の作業は非常に簡易である。しかも、メニューコードを前述のように０から９までの数字、そして＊記号と＃記号とで構成しておけば、ユーザはメニューコードの指定も電話番号の指定と同様な感覚で容易に行うことが可能である。
【００５３】
また、アクセス指示入力部１６がアクセス指示を入力するために１つのボタンを割り当てておけば、上記の回線切断およびインターネット４へのアクセスからなる一連の動作はボタン操作一つで行うことが可能であり、これによりユーザはインターネット４へのアクセスの手順を意識する必要がない。また、アドレス通知装置２からインターネット４への再接続に要する時間の短縮が可能である。
【００５４】
なお、アクセス部１７が、ユーザのアクセス指示を待つことなく自動的にインターネット４へのアクセスを行うようにすることも可能である。このようにすれば、電話端末１のユーザはアクセス指示を行う必要が無いので、操作はさらに簡便となる。ただし、ユーザが意識しないままにインターネット４へのアクセスが行われてしまうことになるため、ユーザによっては上記のような自動的なインターネットアクセスは望まれないことが考えられる。そこで、インターネット４へのアクセスの際にユーザによるアクセス指示を必要とするか否かをユーザ指定に応じて設定する機能を付加すると便利である。
【００５５】
ところで、アドレス通知装置２のコンテンツデータベース２６に指定メニューコードに対応するコンテンツが記憶されているならば、その旨を検索部２４がコンテンツ送出部２８へ通知する。この通知に応じてコンテンツ送出部２８は、指定メニューコードに対応するコンテンツをコンテンツデータベース２６から読み出す（図３のステップＳＴ３４）。そしてコンテンツ送出部２８は、上記の読み出したコンテンツを電話網３へ送出する（図３中のステップＳＴ３５）。このコンテンツは、電話網３を介して電話端末１へと伝送される。これにより、電話端末１から送出された指定メニューコードに応じたコンテンツが電話端末１へと返送される。
【００５６】
電話端末１では、図２中のステップＳＴ４およびステップＳＴ５における待ち受け中に、前述のようにアドレス通知装置２から送出されたコンテンツが到来する。そこで電話端末１では、上記の到来したコンテンツをコンテンツ受信部１８が受信する（図２中のステップＳＴ１０）。
【００５７】
このように、アドレス通知装置２が指定メニューコードに対応するコンテンツを有しているならば、そのコンテンツがアドレス通知装置２から電話端末１へと提供される。従って、インターネットへのアクセスを別途行う必要が無く、より短時間かつ効率的に目的とするホームページのコンテンツを閲覧もしくは取得することが可能になる。
【００５８】
ところでアドレス通知装置２は、通知情報を受信する機能を持たない一般電話機５からメニューコードの指定を受け付ける機能を備える。この場合、発信してきた一般電話機５に対して通知情報を返送しても無意味であるので、通知情報の送信先となる端末の電話番号の指定を受け付けることとする。そのために、一般電話機５から送出された電話網３を介して到来する電話番号情報を電話番号受信部２９が受信する。そしてこのように電話番号受信部２９により電話番号情報が受信された場合には、一旦回線切断を行った上で、発信部３０が上記電話番号情報が示す電話番号を用いて発信を行う。そしてこの発信に対して応答した端末へ向けて、通知情報送出部２７による通知情報の送出やコンテンツ送出部２８によるコンテンツの送出を行う。ただしこの場合、アドレス通知装置２は一般電話機５に対して、当該通知情報やコンテンツの転送の可否を確認あるいは通知することとする。
【００５９】
この場合、通知情報の送信先となる端末の電話番号電話番号に代えてメールアドレスの指定を受け付けるようにしても良い。この場合、通知情報は電子メールを利用して伝送する。
【００６０】
本実施形態は、ユーザがアクセス目的先の電話番号とメニューコードを入力することで、ダイレクトにアクセス目的先のインターネットアドレスを取得できることを特徴とする。しかし、特別な着信先として、一般にポータルサイトとして知られている検索サイト運用者の電話番号に接続しても良い。
【００６１】
こうすることにより、アドレス通知装置２に登録されたインターネットアドレスやコンテンツの提供者自身がアドレス通知装置２を保有していなくても、ポータルサイト運用者の代行によってインターネットアドレスやコンテンツを提供することができる。またこの場合、アクセス先の「電話番号」は必ずしも実際の電話番号でなくても良いため、アクセス先の電話番号として、数字の他に記号や文字の組合わせを使用することも可能になるというメリットがある。
【００６２】
上記の場合、ユーザの接続先の電話番号（ポータルサイト等の電話番号）と、ユーザがインターネットアクセスを望むアクセス先の電話番号とが異なることになる。このとき、ユーザは接続先の電話番号、アクセス先の電話番号、およびアクセス目的別メニューコードの３つの項目を入力する必要がある。しかし、実際には、ユーザが頻繁に利用するポータルサイトの電話番号を予めユーザ側の端末に記憶させておくことで、ポータルサイトの電話番号入力操作と接続プロセスは、ショートカットボタン等を利用して簡略化することが可能になる。これにより、ユーザにとっては、実効的にアクセス先の電話番号とメニューコードの入力だけによるインターネットアドレスの検索と通知が可能になる。
【００６３】
前記の場合の具体例として、電話番号案内サービスのいわばインターネットアドレス版があげられる。一般に「１０４」は電話番号検索用の電話窓口であるが、「＃１０４」は電話番号を用いたインターネットアドレスの検索窓口として運用できる。この場合、ユーザは「＃１０４」に引き続き、アクセス先の電話番号およびアクセス目的別メニューコードを入力する。ユーザの入力したアクセス先の電話番号の持ち主が、予めユーザヘのインターネットアドレスの通知を「＃１０４」に登録しておいた場合、ユーザは即座に該当する電話番号先のアクセス目的別のインターネットアドレスを取得することが可能になる。
【００６４】
また、本システムを１１０番サービスに適応した場合、例えば「１１０＊＊」で最寄りの交番あるいは警察署の所在地、およびその詳細な連絡先を表示するインターネットアドレスを通知し、これに即座にアクセスさせるように誘導することが可能になる。同様に、本システムを１１９番サービスに適応した場合、「１１９＊＊」では、前記の例の他、緊急通報時に必要と思われる情報（通報に必要な情報、応急手当に関する情報等）を示すインターネットアドレスを送信側に通知し、さらには同サイトへ迅速にかつ直接アクセスさせることも可能になる。
【００６５】
図４はメニューコード変換データベース２５に記憶されるデータテーブルの一例を示す図である。
【００６６】
図４の例では、メニューコードは、主に０から９までの数字、＃記号および＊記号の１つ以上の組合せによって構成される。このメニューコードは、ユーザ側が接続したいインターネットアドレスの種類もしくは目的に応じて予め決められているものであり、異なる複数のアドレス通知装置２で共通的に使用できるコードであることが望ましい。例えば、総合ホームページ（ホーム）に対応するメニューコードは「＊＊」であり、サイトマップのメニューコードは「＊１０＊」と共通化しておく。これにより、ユーザは電話番号さえ分かれば、接続目的別共通コードを入力するだけで、迷わずに着信側の目的とするインターネットアドレスを知ることが可能になる。
【００６７】
また、ユーザがメニューコードおよびメニューコードに対応する簡易名称との関係について覚えておく必要がないように、あらかじめメニューコード変換メニュー（目次）コードを電話端末１に用意しておくことも考えられる。例えば、ユーザが「＊＃」を入力した場合、インターネットアドレスのアクセス目的別あるいは内容別に、簡易名称が表示され、特定の簡易名称を選択すると自動的にメニューコードに変換される機能を持たせること可能である。これにより、ユーザはメニューコード自体も覚えておく必要が無くなり、さらに利便性が向上する。
【００６８】
なお、前記のメニューコード「＊＃」に対応する記号あるいはメニューコード等を電話番号とともに各種の印刷媒体や、広告に表示することで、ユーザは上記の電話番号での発信先の端末がアドレス通知装置２であること、あるいはアドレス通知装置２を用いたサービスに対応することを一目で認識することができ、躊躇せず電話番号および目的とするメニューコードを入力して、目的とする着信側のインターネットアドレスを知ることができる。
【００６９】
メニューコードの種類は、一般的な総合ホームページに掲載されている内容と一致しているとユーザにとって便利である。また、接続頻度が高い目的別インターネットアドレスほど短いメニューコードを付与することで、覚えておくメニューコードの長さが短くなるとともに、メニューコードを入力する手間が省けるメリットがある。例えば図４に示すように、総合ホームページ、他言語（英語版）総合ホームページ、携帯端末からのアクセス用簡易版ホームページ、イベントホームページ、投資家情報ホームページ、会社案内用ホームページ、問い合わせ先（連絡先）ホームページもしくはメールアドレス、サイトマップ用ホームページ、着信側のサイト内の索引・検索ホーページなどには、数字と記号の特徴的な組合せによって構成されるメニューコードもしくは桁数が短いメニューコードを対応させることが望ましい。
【００７０】
メニューコードおよび通知情報の送受信には、従来ファックス通信で用いられている通信プロトコルを流用し、アドレス通知装置２のポーリング機能を利用することで対応することもできる。ただし、この場合ファクシミリ通信と異なるのは、送受信されるのが２次元画像情報ではなくメニューコードおよび通知情報であることである。これらはテキスト情報であるため実際の情報のやりとりは非常に短時間で完了する。またこれにより、ファクシミリ装置が持つ構成を共通的に利用できるため設備の効率的利用を図ることが可能になる。
【００７１】
なお、本発明は上記実施形態に限定されるものではない。例えば、メニューコード変換データベース２５やコンテンツデータベース２６は、アドレス通知装置２に内蔵される必要はなく、ネットワークを介してアドレス通知装置２からアクセスするようにしても良い。
【００７２】
このほか、本発明の要旨を逸脱しない範囲で種々の変形実施が可能である。
【００７３】
【発明の効果】
本発明によれば、インターネットアドレス通知装置からインターネットアクセス装置へは、電話網を介してインターネットアドレス通知装置へ送られる指定コードに応じたインターネットアドレスを通知し、またインターネットアクセス装置では、この通知されたインターネットアドレスを用いてインターネットにアクセスするので、インターネットアクセスが可能な端末へ簡便な操作に基づいてインターネットアドレスを取得させることを可能とすることができる。
【図面の簡単な説明】
【図１】本発明の一実施形態に係るシステムの構成を示すブロック図。
【図２】電話端末１の動作手順を示すフローチャート。
【図３】アドレス通知装置２の動作手順を示すフローチャート。
【図４】メニューコード変換データベース２５に記憶されるデータテーブルの一例を示す図。
【符号の説明】
１…電話端末、２…アドレス通知装置、３…電話網、４…インターネット、５…一般電話機、１０…電話番号入力部、１１…発信部、１２…メニューコード入力部、１３…メニューコード送出部、１４…通知情報受信部、１５…表示部、１６…アクセス指示入力部、１７…アクセス部、１８…コンテンツ受信部、２１…着信応答部、２２…メニューコード受信部、２３…着信鳴動部、２４…検索部、２５…メニューコード変換データベース、２６…コンテンツデータベース、２７…通知情報送出部、２８…コンテンツ送出部、２９…電話番号受信部、３０…発信部。
【図１】
2004221941.tif 000003
【図２】
2004221941.tif 000004
【図３】
2004221941.tif 000005
【図４】
2004221941.tif 000006